(57)【要約】【課題】効率的な室内の除湿が行え、快適な室温維持ができる空気調和装置を提供することにある。【解決手段】室内熱交換器の室内コイル温度が低下し、目標室内コイル温度Ｄｅｗ−ｃｏｉｌより低下した場合、圧縮機のモータの駆動周波数の上昇を禁止する制御を行い、前記目標室内コイル温度Ｄｅｗ−ｃｏｉｌを下回る第三温度より低下した場合、前記圧縮機のモータの駆動周波数のＨｚダウンを行わせる制御を行い、前記室内コイル温度が反転上昇して、前記目標室内コイル温度Ｄｅｗ−ｃｏｉｌを上回る第一温度より上昇した場合に前記制御を解除する露付き防止制御において、前記第一温度を上回る第二温度を設けて、前記室内熱交換器の室内コイル温度が前記第一温度を越え、前記第二温度に達するまでの間に前記駆動周波数を予め設定された上昇速度よりも遅い上昇速度で上昇させる領域Ｃを設ける。【選択図】      図６
2004271150.tif 000002
【特許請求の範囲】
【請求項１】
モータの駆動周波数制御が可能な圧縮機および室外熱交換器を有する室外ユニットと、室内熱交換器および室内送風機を有する室内ユニットとを備え、ドライ運転中または冷房運転中に前記室内ユニットの吹出口に露が付き得ない前記室内熱交換器の目標温度を演算する演算手段と、前記室内熱交換器の室内コイル温度が下降して前記目標温度を下回った場合、前記モータの駆動周波数を制御する制御手段とを備える空気調和装置において、
前記制御手段により前記モータの駆動周波数が制御され、前記室内熱交換器の室内コイル温度が反転上昇し、前記目標温度を上回る第一温度より上昇した場合、この第一温度と、この第一温度よりも高い第二温度との間に前記室内コイル温度が存在する時に、前記モータの駆動周波数を、予め設定された上昇速度よりも遅い所定速度で上昇可能とする駆動周波数制御手段を備えたことを特徴とする空気調和装置。
【請求項２】
モータの駆動周波数制御が可能な圧縮機および室外熱交換器を有する室外ユニットと、室内熱交換器および室内送風機を有する室内ユニットとを備え、ドライ運転中または冷房運転中に前記室内ユニットの吹出口に露が付き得ない前記室内熱交換器の目標温度を吸込み空気の露点に基づいて演算する演算手段と、前記室内熱交換器の室内コイル温度が下降して前記目標温度を下回った場合、前記モータの駆動周波数を制御する制御手段を備える空気調和装置において、
前記制御手段により前記モータの駆動周波数が制御され、前記室内熱交換器の温度が反転上昇し、前記目標温度を上回る第一温度より上昇した場合、この第一温度と、この第一温度よりも高い第二温度との間に前記室内コイル温度が存在する時に、前記モータの駆動周波数を、予め設定された上昇速度よりも遅い所定速度で上昇可能とする駆動周波数制御手段を備えたことを特徴とする空気調和装置。
【請求項３】
前記駆動周波数制御手段は、前記室内コイル温度が前記目標温度を下回り、前記制御手段により前記駆動周波数の上昇を禁止され、前記室内コイル温度が反転上昇し、前記目標温度よりも高い第一温度を上回り、さらに高い第二温度に達するまでの間に行なわれることを特徴とする請求項１または２に記載の空気調和装置。
【請求項４】
前記駆動周波数制御手段は、前記室内熱交換器の温度が前記目標温度を下回り、さらに、前記目標温度よりも低い第三温度を下回り、前記制御手段により前記駆動周波数の上昇禁止、および、前記駆動周波数のＨｚダウンが行われ、前記室内熱交換器の温度が反転上昇し、前記目標温度よりも高い第一温度を上回り、さらに高い第二温度に達するまでの間に行なわれることを特徴とする請求項１または２に記載の空気調和装置。
【発明の詳細な説明】
【０００１】
【発明の属する技術分野】
本発明は、室内熱交換器の露付き防止を行う空気調和装置に関する。
【０００２】
【従来の技術】
一般に、モータの駆動周波数制御が可能な圧縮機、室外熱交換器、減圧装置および室内熱交換器を有した空気調和装置が知られている。
【０００３】
この種のものでは、室内温度、および、その湿度に基づいて露点を演算し、この演算された露点に基づいて前記室内ユニットへの露付きが発生しない様、前記室内熱交換器の温度を制御する露付き防止制御を行っている。
【０００４】
この様な露付き防止制御では、例えば、室内空間の空調を行う室内ユニット、或いは、前記空気調和装置の遠隔操作を行う遠隔制御装置（以下、リモコンという。）へ前記室内空間の温度を検出する室内温度センサと、前記室内空間の湿度を検出する湿度センサと、前記室内熱交換器の熱交換器温度を検出する室内熱交温度センサとを備えておき、前記室内温度センサで検出された温度信号、および、湿度センサで検出された湿度信号に基づいて露点温度が演算され、この露点温度と前記室内熱交温度センサの検出温度とを比較して、前記圧縮機のモータ駆動周波数を制御している。
【０００５】
例えば、前記熱交換器温度が前記露点温度以下まで低下した場合には、前記駆動周波数の上昇禁止を行い、さらに、前記熱交換器温度が前記露点温度を下回る第三温度まで低下した場合には、前記駆動周波数の低減（Ｈｚダウン）を行うものとしており、一旦、前記駆動周波数の上昇禁止、或いは、低減が行われた場合には、前記熱交温度センサの検出温度が、前記露点温度を上回る第一温度を上回るまで、前記駆動周波数の上昇を禁止するものとされている。（例えば、特許文献１参照）
【０００６】
【特許文献１】
特開２００２−７１１９１号（第３−４頁、第２図）
【０００７】
【発明が解決しようとする課題】
しかしながら、前記熱交換器温度が低下して前記露点温度に達し、前記圧縮機の駆動周波数の上昇禁止が行われても、前記上昇禁止が解除される前記第一温度の時点では、前記室内熱交換器を循環する冷媒の状態や、吸込み口から吸込まれる室内空気の状態は、前記上昇禁止が行われている時点と大差がないことから、前記露点温度を上回る前記第一温度を上回った時点で、前記露付き防止制御が解除されて前記駆動周波数が予め設定された上昇速度で上昇してしまい、前記熱交換器温度は、再度、前記露点温度まで低下してしまい、再度、前記露付き防止制御が行われ、前記駆動周波数の上昇禁止が行われてしまうため、室内の効率的な除湿や、快適な室温維持に懸念があった。
【０００８】
本発明の目的は、上述の事情を考慮してなされたものであり、効率的な室内の除湿が行え、快適な室温維持ができる空気調和装置を提供することにある。
【０００９】
【課題を解決するための手段】
請求項１に記載の発明は、モータの駆動周波数制御が可能な圧縮機および室外熱交換器を有する室外ユニットと、室内熱交換器および室内送風機を有する室内ユニットとを備え、ドライ運転中または冷房運転中に前記室内ユニットの吹出口に露が付き得ない前記室内熱交換器の目標温度を演算する演算手段と、前記室内熱交換器の室内コイル温度が下降して前記目標温度を下回った場合、前記モータの駆動周波数を制御する制御手段とを備える空気調和装置において、前記制御手段により前記モータの駆動周波数が制御され、前記室内熱交換器の室内コイル温度が反転上昇し、前記目標温度を上回る第一温度より上昇した場合、この第一温度と、この第一温度よりも高い第二温度との間に前記室内コイル温度が存在する時に、前記モータの駆動周波数を、予め設定された上昇速度よりも遅い所定速度で上昇可能とする駆動周波数制御手段を備えたことを特徴とするものである。
【００１０】
請求項２に記載の発明は、モータの駆動周波数制御が可能な圧縮機および室外熱交換器を有する室外ユニットと、室内熱交換器および室内送風機を有する室内ユニットとを備え、ドライ運転中または冷房運転中に前記室内ユニットの吹出口に露が付き得ない前記室内熱交換器の目標温度を吸込み空気の露点に基づいて演算する演算手段と、前記室内熱交換器の室内コイル温度が下降して前記目標温度を下回った場合、前記モータの駆動周波数を制御する制御手段を備える空気調和装置において、前記制御手段により前記モータの駆動周波数が制御され、前記室内熱交換器の温度が反転上昇し、前記目標温度を上回る第一温度より上昇した場合、この第一温度と、この第一温度よりも高い第二温度との間に前記室内コイル温度が存在する時に、前記モータの駆動周波数を、予め設定された上昇速度よりも遅い所定速度で上昇可能とする駆動周波数制御手段を備えたことを特徴とするものである。
【００１１】
請求項３に記載の発明は、請求項１または２に記載のものにおいて、前記駆動周波数制御手段は、前記室内コイル温度が前記目標温度を下回り、前記制御手段により前記駆動周波数の上昇を禁止され、前記室内コイル温度が反転上昇し、前記目標温度よりも高い第一温度を上回り、さらに高い第二温度に達するまでの間に行なわれることを特徴とするものである。
【００１２】
請求項４に記載の発明は、請求項１または２に記載のものにおいて、前記駆動周波数制御手段は、前記室内熱交換器の温度が前記目標温度を下回り、さらに、前記目標温度よりも低い第三温度を下回り、前記制御手段により前記駆動周波数の上昇禁止、および、前記駆動周波数のＨｚダウンが行われ、前記室内熱交換器の温度が反転上昇し、前記目標温度よりも高い第一温度を上回り、さらに高い第二温度に達するまでの間に行なわれることを特徴とするものである。
【００１３】
【発明の実施の形態】
以下、本発明の一実施形態を添付の図面を参照して説明する。
【００１４】
図１は室内ユニットの断面図である。この室内ユニット１は、例えば、図示を省略したモータの駆動周波数制御が可能な圧縮機及び室外熱交換器等を内蔵する室外ユニットとユニット間配管で接続されて空気調和装置を構成している。
【００１５】
この室内ユニット１のケース２は、前面側の前ケース部２Ａと、この前ケース部２Ａの前部に設けられ、室内の空気の吸気口３を備えた吸込パネル２Ｂと、背面側の後ケース部２Ｃとで構成されている。このケース２内には、室内の空気を加熱／冷却／除湿する室内熱交換器４と、室内の空気を吸込パネル２Ｂから吸い込み、室内熱交換器４で加熱／冷却／除湿して再び室内に循環させる送風ファン５と、この送風ファン５により吸引される室内の空気の比較的大きな塵を除塵するエアフィルタ７と、エアフィルタ７を通過した室内の空気の比較的細かい塵を更に除塵する空気清浄フィルタ８とが設けられている。
【００１６】
室内熱交換器４は、３つの熱交換部４Ａ、４Ｂ、４Ｃに分割されている。そして、本空気調和装置が暖房運転されるときには、すべての熱交換部４Ａ、４Ｂ、４Ｃが凝縮器として機能する。また、本空気調和装置が、冷房運転、又は通常のドライ運転（冷房運転よりも冷房能力の低い弱冷房運転）されるときには、すべての熱交換部４Ａ、４Ｂ、４Ｃが蒸発器として機能する。尚、以下の説明において、冷房運転には、この通常のドライ運転も含むものとする。
【００１７】
室内熱交換器４において、例えば、２つの熱交換部４Ａ、４Ｂを蒸発器として機能させながら、残りの熱交換部４Ｃを再熱器として機能させると、冷却して除湿した空気を再加熱して室内に送風する本格ドライ運転が可能になる。以下の説明において、単にドライ運転といった場合は、この本格ドライ運転を示すものとする。
【００１８】
室内熱交換器４には、冷房運転、又はドライ運転において蒸発器として機能する熱交換部（例えば、熱交換部４Ｂの内部）に室内熱交温度センサ１０が設けられており、この室内熱交温度センサ１０により、冷房運転時、又はドライ運転時に蒸発器として機能する室内熱交換器４の熱交換部４Ｂの温度（以下、「室内コイル温度」という。）が検出される。また、この室内熱交換器４（例えば、熱交換部４Ｂ）の空気吸込側には吸い込み空気の温度を検出する室内温度センサ１１及び吸い込み空気の湿度を検出する室内湿度センサ１２が設けられている。
【００１９】
熱交換部４Ａ、４Ｂの下方にはドレンパン６Ａが設けられ、熱交換部４Ｃの下方にはドレンパン６Ｂが設けられている。これにより熱交換部４Ａ、４Ｂに生じた露は、ドレンパン６Ａに滴下され、熱交換部４Ｃに生じた露は、ドレンパン６Ｂに滴下される。これらドレンパン６Ａ、６Ｂのドレンは、図示しないドレン排水管を介して排水される。通常、室内熱交換器４の室内コイル温度が吸い込み空気の露点以下となるとき、室内熱交換器４に露付きが生じる。
【００２０】
ドレンパン６Ａの下方には冷風／温風の吹出口９が形成されている。そして、この吹出口９には上下風向変更羽根９Ａと、複数の左右風向変更羽根９Ｂとが設けられている。上下風向変更羽根９Ａを上下に揺動することにより上下に吹出風向が変更され、複数の左右風向変更羽根９Ｂを連動して左右に揺動することにより左右に吹出風向が変更される。
【００２１】
本実施の形態では、冷房運転中、及びドライ運転中の吹出口９（上下風向変更羽根９Ａ、左右風向変更羽根９Ｂを含む）への露付き防止制御が行われ、室内熱交温度センサ１０で検出された室内コイル温度が上昇し、前記露付き防止制御が解除された後の前記圧縮機の駆動周波数制御に特徴を有する。尚、図示は省略したが、この室内ユニット１には制御装置が設けられている。この制御装置は、室内熱交温度センサ１０、室内温度センサ１１、室内湿度センサ１２等の検知結果を基に露付き防止制御等を行う。
【００２２】
図２〜図４は露付き防止制御のフローチャートである。この露付き防止制御は、室内熱交換器４の目標室内コイル温度（目標温度）を決定し、この目標室内コイル温度を基にゾーン（温度領域）を設け、室内熱交換器４の室内コイル温度の制御を行い、露付きを防止するものである。この図２及び図３は、露付き防止制御における目標室内コイル温度を決定するフローチャートであり、図４は、決定した目標室内コイル温度を基に室内コイル温度のゾーン制御を行うフローチャートである。
【００２３】
図２のフローチャートを参照しながら露付き防止制御を説明する。まず、空気調和装置がドライ運転中か否かを判断する（Ｓ１）。
【００２４】
ドライ運転中である場合、吸い込み空気の露点に基づいて、室内熱交換器４に露が付いても吹出口９に露が付き得ない室内熱交換器４の室内コイル温度が、目標室内コイル温度（以下、Ｄｅｗ−ｃｏｉｌという。）として予め規定された所定演算式に基づいて演算される（Ｓ２）。
【００２５】
ここで、吹出口９に露が付き得ないとは、吹出口９に全く露が付かない場合のみに限定するものではなく、吹出口９に微量（吹き飛ばされたり、滴下したりしない程度の量）の露が付く場合も含まれているものとする。
【００２６】
この目標室内コイル温度Ｄｅｗ−ｃｏｉｌを算出する所定演算式は、
Ｄｅｗ−ｃｏｉｌ＝（吸い込み空気の露点）−（ドライ運転時の露付き猶予温度）
である。吸い込み空気の露点は、吸い込み空気の温度と吸い込み空気の湿度とから求められる。室内熱交換器４の室内コイル温度が吸い込み空気の露点以下であっても、吹出口９に露が付き得ない室内熱交換器４の温度範囲があり、ドライ運転時の露付き猶予温度は、室内熱交換器４の室内コイル温度をこの温度範囲内にするための定数である。この露付き猶予温度は、例えば、室内熱交換器４の室内コイル温度を、室内熱交換器４に露が付いても吹出口９に露が付き得ない最も低い温度となるように設定される。これによって、吹出口９に露が付くことなく除湿ができる。この露付き猶予温度は、例えば実験により求められる。
【００２７】
ドライ運転中でない場合、即ち、冷房運転である場合、吸い込み空気の露点に基づいて、室内熱交換器４に露が付いても吹出口９に露が付き得ない室内熱交換器４の室内コイル温度が、目標室内コイル温度Ｄｅｗ−ｃｏｉｌとして予め規定された所定演算式に基づいて演算される（Ｓ３）。この目標室内コイル温度Ｄｅｗ−ｃｏｉｌを算出する所定演算式は、
Ｄｅｗ−ｃｏｉｌ＝（吸い込み空気の露点）−（冷房運転時の露付き猶予温度）
である。冷房運転時の露付き猶予温度は、ドライ運転時の露付き猶予温度と同様に求められる。
【００２８】
ドライ運転時の露付き猶予温度は、冷房運転時の露付き猶予温度よりも大きく設定される。例えば、ドライ運転時の露付き猶予温度が８℃、冷房運転時の露付き猶予温度が４℃に設定される。これにより、ドライ運転時の目標室内コイル温度Ｄｅｗ−ｃｏｉｌが冷房運転時よりも低いため、ドライ運転時において、より効率よく除湿ができる。
【００２９】
ステップＳ２又はステップＳ３で求めた目標室内コイル温度Ｄｅｗ−ｃｏｉｌは、吸い込み空気の露点に対応して変化し、室内コイル温度がこの目標室内コイル温度Ｄｅｗ−ｃｏｉｌを下回れば、吹出口９に露付きが発生する。また、吸い込み空気の温度が変化すれば、この吸い込み空気の露点も変化し、該露点に基づいて目標室内コイル温度Ｄｅｗ−ｃｏｉｌが演算されることから、吹出口９に露が付き得ない目標室内コイル温度Ｄｅｗ−ｃｏｉｌをより正確に求めることができる。
【００３０】
次に、吹出口９に露が付きやすい条件であるか否かが判断され、吹出口９に露が付きやすい条件であるとき、ステップＳ２又はステップＳ３で算出した目標室内コイル温度Ｄｅｗ−ｃｏｉｌが補正される場合について説明する。
【００３１】
まず、凍結制御中か否かが判断される（Ｓ４）。凍結制御中とは、例えば、凍結防止中、凍結マスク時間中、又は低温除湿中である場合を示している。凍結防止は、室内熱交換器４が凍結しないように、圧縮機の駆動周波数を制御するものであり、この制御は、前記圧縮機の周波数上昇禁止、或いは、前記圧縮機のＨｚダウンが行われる。凍結マスク時間とは、例えば運転開始時のように、室内熱交換器４への凍結が起こり得ない時間帯のことをいう。低温除湿とは、ドライ運転中にあって、外気温度が低いときに、凍結防止制御を無視して強制的に圧縮機を運転させる制御である。
【００３２】
ステップＳ４で凍結制御中（即ち、凍結防止中、凍結マスク時間中及び低温除湿中）でなければ、左右風向変更羽根９Ｂが、左右にスイング中か、又は所定角度で固定されているか否かが判断される（Ｓ５）。図５に左右風向変更羽根９Ｂをスイングしたときの揺動範囲の一例を示す。図５中、ポジション▲１▼〜▲５▼は、左右風向変更羽根９Ｂの揺動範囲を示すものである。左右風向変更羽根９Ｂが左右にスイング中である場合、左右風向変更羽根９Ｂは、ポジション▲１▼〜▲５▼の範囲内で揺動し、固定される場合、ポジション▲１▼〜▲５▼の内、いずれか１つのポジションで固定される。
【００３３】
冷房運転時、又はドライ運転時、左右風向変更羽根９Ｂを大きくスイングさせて（例えば図５中のポジション▲１▼〜▲５▼）運転すると、例えば左右風向変更羽根９Ｂがポジション▲１▼又は▲５▼のとき、吹出口９の左右から捲き込まれる空気と吹出空気とが混合されて、吹出口９に露が付くことがある。また、所定角度、例えば、ポジション▲１▼及び▲５▼に固定された場合も同様に吹出口９に露が付くことがあるため、ステップＳ５にて判断を行う。
【００３４】
次に、左右風向変更羽根９Ｂがスイング中か、又は所定角度（ポジション▲１▼又は▲５▼）で固定されていれば、運転開始後、第一所定時間（例えば５分）経過したか否かが判断される（Ｓ６）。
【００３５】
ステップＳ６で第一所定時間（例えば５分）経過していれば、吹出口９に露の付きやすい条件であると判断され、ステップＳ２、又はステップＳ３で算出した目標室内コイル温度Ｄｅｗ−ｃｏｉｌが補正され、目標室内コイル温度Ｄｅｗ−ｃｏｉｌが決定される（Ｓ７）。この補正は、目標室内コイル温度Ｄｅｗ−ｃｏｉｌを（例えば１℃）上げる補正である。そしてこの目標室内コイル温度Ｄｅｗ−ｃｏｉｌを基に室内コイル温度のゾーン制御（図４）が行われる。
【００３６】
ステップＳ４で凍結制御中である場合（即ち、凍結防止中、凍結マスク中又は低温除湿中である場合）、送風ファン５の回転数が所定回転数以下であるか否かが判断される（Ｓ８）。ここで送風ファン５による吹出風速は、送風ファン５の回転数に対応しており、この送風ファン５の回転数が、例えば、複数の回転数のステップに段階的に規定されることにより、吹出風速が複数の風速ステップ、例えば、強風、中風、弱風、微弱風のように４つの風速ステップに段階的に規定される。通常、風速が弱まれば、吹出口９に露が付く可能性は高くなる。従って、例えば、風速ステップが弱風以下で運転中の場合、弱風が吹出口９への露付きの可能性がある風速であるとすれば、現在運転中の回転数は露付きの発生の可能性がある運転中とされる。
【００３７】
そこで、ステップＳ８では、送風ファン５の回転数が吹出口９に露が付く可能性のある所定回転数（送風ファン５による風速が吹出口９に露が付く可能性のある所定風速、例えば弱風）以下であれば、ステップＳ５に移行する。
【００３８】
凍結制御中でないこと（Ｓ４）、左右風向変更羽根９Ｂが、スイング中か又は吹出口９に露が付く可能性がある所定角度（例えば図５中ポジション▲１▼又は▲５▼）で固定されていること（Ｓ５）、且つ運転開始後、第一所定時間（例えば５分）経過していること（Ｓ６）を条件とする場合、または、送風ファン５の回転数が吹出口９に露が付く可能性のある所定回転数（送風ファン５による吹出風速が吹出口９に露が付く可能性がある所定風速、例えば弱風）以下であること（Ｓ８）、左右風向変更羽根９Ｂが、スイング中か又は所定角度（例えば図５中ポジション▲１▼又は▲５▼）で固定されていること（Ｓ５）、且つ運転開始後、第一所定時間（例えば５分）経過していること（Ｓ６）を条件とする場合は、吹出口９に露が付きやすい条件ということになり、ステップＳ２又はステップＳ３で求めた目標室内コイル温度Ｄｅｗ−ｃｏｉｌをステップＳ７で例えば１℃上げる補正が行われ、目標室内コイル温度Ｄｅｗ−ｃｏｉｌが決定される。これによって、吹出口９に露が付きやすい条件である場合は、目標室内コイル温度Ｄｅｗ−ｃｏｉｌが、補正される前よりも高い温度に決定されるので、吹出口９に露が付きやすい条件であっても、吹出口９の露付きが防止される。
【００３９】
次に、ステップＳ２又はステップＳ３で求めた目標室内コイル温度Ｄｅｗ−ｃｏｉｌが補正されない場合を図３のフローチャートを参照して説明する。
【００４０】
ステップＳ６（図２）で運転開始後、第一所定時間（例えば５分）経過していない場合、または、ステップ４（図２）で凍結制御中でなく、ステップＳ８で前記所定風速（例えば弱風）以上である場合、或いは、ステップＳ５で左右風向変更羽根９Ｂが、スイング中か又は吹出口９に露が付く可能性がある所定角度に固定されていない場合、ステップＳ４（図２）と同様のステップＳ９が行われ、凍結制御中でなければ、運転開始後、第一所定時間（例えば５分）よりも長い第二所定時間（例えば１時間）経過したか否かが判断される（Ｓ１０）。ここで、ステップＳ１０で第一所定時間（例えば５分）よりも長い第二所定時間（例えば１時間）としたのは、第二所定時間（例えば１時間）の運転で吹出口９に露が付く可能性があるためである。
【００４１】
ステップＳ１０で第二所定時間（例えば１時間）経過したと判断されれば、目標室内コイル温度Ｄｅｗ−ｃｏｉｌは、ステップＳ２又はステップＳ３（図２）で求めた目標室内コイル温度Ｄｅｗ−ｃｏｉｌに決定される（Ｓ１１）。そしてこの目標室内コイル温度Ｄｅｗ−ｃｏｉｌを基に室内コイル温度のゾーン制御（図４）が行われる。
【００４２】
ステップＳ９で凍結制御中であるか、ステップＳ１０で運転開始後、第二所定時間（例えば１時間）経過していなければ、ステップＳ８（図２）と同様に送風ファン５の回転数が吹出口９に露が付く可能性のある所定回転数（送風ファン５による吹出風速が吹出口９に露が付く可能性のある所定風速、例えば弱風）以下であるか否かが判断される（Ｓ１２）。ステップＳ１２で送風ファン５の回転数が吹出口９に露が付く可能性のある所定回転数（送風ファン５による吹出風速が吹出口９に露が付く可能性のある所定風速、例えば弱風）以下であれば、ステップＳ６（図２）と同様に、運転開始後、第一所定時間（例えば５分）経過したか否かが判断される（Ｓ１３）。
【００４３】
ところで、ステップＳ６、Ｓ１３で第一所定時間（例えば５分）としたのは、第一所定時間（例えば５分）の運転で吹出口９に露が付く可能性があるためである。即ち、第一所定時間程度の運転で吹出口９に露が付く可能性がある場合は、ステップＳ６又はステップＳ１３で第一所定時間経過したか否かが判断され、第一所定時間よりも長い第二所定時間程度の運転で吹出口９に露が付く可能性がある場合は、ステップＳ１０で第二所定時間経過したか否かが判断される。これにより、効率的に吹出口９付近への露付きが防止される。
【００４４】
ステップＳ１３で第一所定時間（例えば５分）経過していれば、ステップＳ１１に移行してステップＳ２又はステップＳ３（図２）で求めた目標室内コイル温度Ｄｅｗ−ｃｏｉｌに決定される。
【００４５】
つまり、凍結制御中でないこと（Ｓ９）、且つ運転開始後、第二所定時間（例えば１時間）経過していること（Ｓ１０）を条件とする場合、又は送風ファン５の回転数が吹出口９に露が付く可能性のある所定回転数（送風ファン５による吹出風速が吹出口９に露が付く可能性のある所定風速、例えば弱風）以下であること（Ｓ１２）、且つ運転開始後、第一所定時間（例えば５分）経過していること（Ｓ１３）を条件とする場合は、吹出口９に露が付く条件ではあるが、目標室内コイル温度Ｄｅｗ−ｃｏｉｌを補正せずとも吹出口９の露付きが防止される。
【００４６】
即ち、ステップＳ４の判断で否定され、ステップＳ５〜Ｓ６の判断で肯定される場合、ステップＳ４、Ｓ８、Ｓ５、Ｓ６の判断で肯定される場合は、ステップＳ７へ移行し、吹出口９に露の付きやすい条件であるので、目標室内コイル温度Ｄｅｗ−ｃｏｉｌを補正することにより、吹出口９の露付きが防止される。
【００４７】
ステップＳ１２で送風ファン５の回転数が吹出口９に露が付く可能性のある所定回転数（送風ファン５による吹出風速が吹出口９に露が付く可能性のある所定風速、例えば弱風）よりも高い場合、又はステップＳ１３で運転開始後、第一所定時間（例えば５分）を経過していない場合は、露付き防止制御におけるゾーン制御は行われず（Ｓ１４）、スタート（図２）に戻って判断が繰り返される。
【００４８】
ここで、例えば、図示しないリモートコントローラ等による人為的操作で設定の変更（例えば運転の切り替えや、室温設定の切り替え）が行われたときは、ステップＳ６、ステップＳ１０、又はステップＳ１３では、その設定が変更された時から第一所定時間（例えば５分）又は第二所定時間（例えば１時間）経過したか否かが判断される。これによって、設定が変更されても、その設定に対応して露付き防止制御が行われるため、吹出口９への露付きが防止される。
【００４９】
図６は、露付き防止制御および本発明による駆動周波数制御におけるゾーン制御のモデル図であり、図４のフローチャートの説明において、この図６を参照して説明する。
【００５０】
ステップＳ７（図２）又はステップＳ１１（図３）で、目標室内コイル温度Ｄｅｗ−ｃｏｉｌが決定されると、室内コイル温度がこの目標室内コイル温度Ｄｅｗ−ｃｏｉｌを下回らないように露付き防止制御が行われる。この露付き防止制御では、まず、目標室内コイル温度Ｄｅｗ−ｃｏｉｌを基に、目標室内コイル温度Ｄｅｗ−ｃｏｉｌよりも０．５℃低い第三温度と、目標室内コイル温度Ｄｅｗ−ｃｏｉｌよりも０．５℃高い第一温度と、目標室内コイル温度Ｄｅｗ−ｃｏｉｌよりも１．０℃高い第二温度とが設定される。そして、室内コイル温度が目標室内コイル温度Ｄｅｗ−ｃｏｉｌよりも低い第三温度と比較される（Ｓ１５）。室内コイル温度が第三温度よりも低ければ、図６に示すように、直ちに前記圧縮機のＨｚダウン制御が実行される（Ｓ１６）。このＨｚダウン制御は、モータの駆動周波数を、例えば、３０秒に１Ｈｚずつダウンさせる制御である。ただし、下限周波数が設けられる。ステップＳ１６の後、図２のスタートに戻って判断が繰り返される。
【００５１】
ステップＳ１５で室内コイル温度が第三温度よりも高ければ、室内コイル温度が目標室内コイル温度Ｄｅｗ−ｃｏｉｌと比較される（Ｓ１７）。ステップＳ１７で室内コイル温度が目標室内コイル温度Ｄｅｗ−ｃｏｉｌよりも低い場合、図６に示すように、モータの駆動周波数の上昇が禁止される（Ｓ１８）。この場合、図示を省略したリモートコントローラの設定等により、前記圧縮機のモータの駆動周波数上昇要求が出力されたとしても、周波数の上昇は禁止される。このステップＳ１８の後、図２のスタートに戻って判断が繰り返される。
【００５２】
ステップＳ１７で室内コイル温度が目標室内コイル温度Ｄｅｗ−ｃｏｉｌよりも高い場合、室内コイル温度が目標室内コイル温度Ｄｅｗ−ｃｏｉｌよりも高い第一温度と比較される（Ｓ１９）。
【００５３】
室内コイル温度がこの第一温度よりも低い場合には、図６に示す領域Ａ、Ｂのいずれの領域にあるかによって制御が異なる。領域Ｂ（温度上昇中）にある場合、前回の判定ではモータの駆動周波数の上昇禁止のゾーンにあり、領域Ａ（温度下降中）にある場合、前回の判定ではモータの駆動周波数の上昇禁止のゾーンにないはずである。
【００５４】
ステップＳ１９で第一温度よりも低い場合、前回の判定がモータの駆動周波数上昇禁止のゾーンにあったか否かが判断され（Ｓ２０）、前回の判定がモータの駆動周波数上昇禁止であれば、今回は領域Ｂにあるから、モータの駆動周波数の上昇が禁止され（Ｓ１８）、前回の判定がモータの駆動周波数上昇禁止でなければ、今回は領域Ａにあるから、前記圧縮機のＨｚダウン並びにモータの駆動周波数の上昇禁止が解除される（Ｓ２１）。このステップＳ２１の後、図２のスタートに戻って判断が繰り返される。
【００５５】
ステップＳ１９で室内コイル温度が目標室内コイル温度Ｄｅｗ−ｃｏｉｌを上回る第一温度よりも高い場合、室内コイル温度が、前記第一温度より更に高い第二温度と比較される（Ｓ２２）。
【００５６】
室内コイル温度がこの第二温度よりも低い場合には、図６に示す領域Ａ、Ｃのいずれの領域にあるかによって制御が異なる。領域Ｃ（温度上昇中）にある場合、前回の判定ではモータの駆動周波数の上昇禁止のゾーンの領域Ｂにあり、領域Ａ（温度下降中）にある場合、前回の判定ではモータの駆動周波数の上昇禁止のゾーンにないはずである。
【００５７】
ステップＳ２２で第二温度よりも低い場合、図示を省略したリモートコントローラの設定等により、前回の判定がモータの駆動周波数上昇禁止のゾーンにあったか否かが判断され（Ｓ２３）、前回の判定がモータの駆動周波数上昇禁止であれば、今回領域Ｃにあるから、本発明による駆動周波数制御が行われ、モータの駆動周波数を予め設定された上昇速度よりも遅い、例えば、３０秒に１Ｈｚずつの上昇速度での上昇を可能とさせる（Ｓ２４）。ただし、上限周波数が設けられる。前回の判定がモータの駆動周波数上昇禁止でなければ、今回領域Ａにあるから、Ｈｚダウン並びにモータの駆動周波数の上昇禁止が解除される（Ｓ２１）。このステップＳ２４の後、図２のスタートに戻って判断が繰り返される。
【００５８】
なお、図示を省略した制御装置では、この露付き防止制御、および、本発明による駆動周波数制御などが全て解除されている場合、予め設定された駆動周波数の上昇下降速度として、モータの駆動周波数の上昇速度は、例えば、０．５秒に１Ｈｚずつの上昇速度で可変できるものとなっている。
【００５９】
ステップＳ１９で前記第一温度を上回り、肯定の判断が行われた時点では、ステップＳ１７での肯定の判断により、駆動周波数の上昇が禁止されていたため、前記室内コイル温度は、徐々に上昇する傾向となっているが、室内ユニット１の吸込口３から吸込まれる室内空気、および、前記室内熱交換器内で蒸発する冷媒の状態は、ステップＳ１９で肯定の判断がされた場合と、否定の判断がされた場合とでは大差無い状態にある。そのため、前記駆動周波数の上昇禁止を解除して、上記通常の前記可変速度で前記駆動周波数を上昇させた場合、室内熱交換器を循環する前記冷媒の冷媒量が急増し、前記室内熱交換器内で急激な前記冷媒の蒸発が生じるため、前記室内コイル温度は低下して、再度、ステップＳ１７で否定の判断をされる可能性が高い。
【００６０】
このため、本発明による駆動周波数制御手段では、前記目標室内コイル温度を上回る第一温度よりも高い第二温度を設け、前記室内熱交換器の室内コイル温度が反転上昇し、前記第一温度を上回り、前記第二温度に達するまでの間に、前記駆動周波数を予め設定された前記上昇速度よりも遅い上昇速度で上昇可能とするゾーンを設けて、前記室内熱交換器で蒸発する前記冷媒を徐々に増加させている。これにより、再度、前記室内コイル温度が低下して、露付き防止制御が行われてしまうことを防止できるとともに、効率的な除湿が行なえ、快適な室温維持が図られる。
【００６１】
尚、本実施の形態において、ステップＳ２又はステップＳ３で目標室内コイル温度Ｄｅｗ−ｃｏｉｌが吸い込み空気の露点に基づいて演算される場合を説明したが、これに限るものではなく、ステップＳ２又はステップＳ３で目標室内コイル温度Ｄｅｗ−ｃｏｉｌが室温に基づいて演算される場合であってもよい。この場合、目標室内コイル温度Ｄｅｗ−ｃｏｉｌは、例えば実験により求められる演算式で求められる。
【００６２】
また、本実施の形態において、ステップＳ４及びステップＳ９で凍結制御中とは、凍結防止中、凍結マスク時間中又は低温除湿中の場合である説明したが、これに限るものではない。例えば、凍結防止、凍結マスク時間又は低温除湿の内、いずれかが省略される構成である場合は、ステップＳ４及びステップＳ９の判断においても省略される。
【００６３】
また、本実施の形態において、ステップＳ６、Ｓ１３で第一所定時間（例えば５分）経過したか否かが判断され、ステップＳ１０で第二所定時間（例えば１時間）経過したか否かが判断される場合を説明したが、これに限るものではなく、例えば、ステップＳ１３において、第一所定時間とは異なる第三所定時間（第二所定時間よりも短い時間）経過したか否かが判断される場合であってもよいし、また、これらステップＳ６、Ｓ１０及びＳ１３の判断が省略される場合であってもよい。
【００６４】
また、本実施の形態において、ステップＳ５で左右風向変更羽根９Ｂが、左右にスイング中か、又は吹出口９に露が付く可能性がある所定角度で固定されているか否かが判断される場合を説明したが、これに限るものではなく、ステップＳ５で上下風向変更羽根９Ａが、上下にスイング中か、又は吹出口９に露が付く可能性がある所定角度で固定されているか否かが判断される場合であってもよい。上下風向変更羽根９Ａが上下にスイング中であるか否かの判断は、上下風向変更羽根９Ａの揺動角度によっては吹出口９に露が付く可能性があるためである。
【００６５】
以上、一実施形態に基づいて本発明を説明したが、本発明は、これに限定されるものでないことは明らかである。
【００６６】
【発明の効果】
以上の説明の様に、本発明では、ドライ運転中、又は冷房運転中、室内熱交換器の室内コイル温度が下降して室内熱交換器の目標室内コイル温度を下回り、圧縮機のモータの駆動周波数が制御された場合、前記室内コイル温度が、反転上昇し、この制御が解除される第一温度から、この第一温度を上回る第二温度に達するまでの間に、前記駆動周波数を、予め設定された上昇速度よりも遅い上昇速度で上昇させる駆動周波数制御手段を設けているので、前記駆動周波数の急な上昇が抑えられ、再び、前記室内コイル温度が下降してしまうことを防止できるため、効率的な室内の除湿が行え、快適な室温維持を行うことができる。
【図面の簡単な説明】
【図１】本発明による空気調和装置の一例を示す断面図である。
【図２】露付き防止制御における目標室内コイル温度を決定するフローチャートである。
【図３】露付き防止制御における目標室内コイル温度を決定するフローチャートである。
【図４】露付き防止制御におけるゾーン制御のフローチャートである。
【図５】左右風向変更羽根の揺動範囲の一例を示す図である。
【図６】露付き防止制御におけるゾーン制御のモデル図である。
【符号の説明】
１  室内ユニット
２  ケース
２Ａ  前ケース部
２Ｂ  吸込パネル
２Ｃ  後ケース部
３  吸気口
４  室内熱交換器
４Ａ、４Ｂ、４Ｃ  熱交換部
５  送風ファン
９  吹出口
９Ａ  上下風向変更羽根
９Ｂ  左右風向変更羽根
１０  室内熱交温度センサ
１１  室内温度センサ
１２  室内湿度センサ
【図１】
2004271150.tif 000003
【図２】
2004271150.tif 000004
【図３】
2004271150.tif 000005
【図４】
2004271150.tif 000006
【図５】
2004271150.tif 000007
【図６】
2004271150.tif 000008